(57)【要約】      （修正有）【課題】ＵｓｅｒＩＤやＰａｓｓｗｏｒｄの情報を保持することで、自動的に認証を行い、保護されたファイルの印刷をシステムとして自動的に処理することが可能な印刷制御装置を提供する。【解決手段】特定のフォルダを監視し、ファイル投入時に設定を付与して画像形成装置へ印刷ジョブを送信する印刷制御装置において、前記画像形成装置が保護されたファイルの受信を可能か判定する判定手段と、保護されたファイルを投入したユーザの権限を認証する認証手段と、前記認証手段の結果によって該ユーザの編集権限によって変換するファイル形式を選択する選択手段と、前記印刷ジョブのファイル形式を変換する変換手段と、を備える。【選択図】図１
2013210859.tif 000002
【特許請求の範囲】
【請求項１】
特定のフォルダを監視し、ファイル投入時に設定を付与して画像形成装置へ印刷ジョブを送信する印刷制御装置において、
前記画像形成装置が保護されたファイルの受信を可能か判定する判定手段と、
保護されたファイルを投入したユーザの権限を認証する認証手段と、
前記認証手段の結果によって該ユーザの編集権限によって変換するファイル形式を選択する選択手段と、
前記印刷ジョブのファイル形式を変換する変換手段と、
を備えることを特徴とする印刷制御装置。
【請求項２】
前記ファイル形式の変換手段は、ファイルの保護を外し、独自のセキュリティ機能を適用させたファイル形式へ変換する手段、を有することを特徴とする請求項１に記載の印刷制御装置。
【請求項３】
前記印刷制御装置は、ファイル形式の変換手段によってファイルの保護を外した印刷ジョブを送信する場合に、ファイル形式の変換手段とプリンタへ保存する機能とを禁則条件にする手段を有することを特徴とする請求項１又は請求項２に記載の印刷制御装置。
【請求項４】
前記印刷制御装置は、ＵｓｅｒＩＤとＰａｓｓｗｏｒｄを保持する保持手段を備え、ファイルを投入したユーザの情報を取得する取得手段と、前記ユーザの情報と、前記ＵｓｅｒＩＤとＰａｓｓｗｏｒｄとの関連付けを行う手段を有し、前記ユーザの権限を認証する認証手段は、取得したユーザの情報から、前記ユーザの情報と関連した一つ以上のＵｓｅｒＩＤと一つ以上のＰａｓｓｗｏｒｄを読み出す手段を有することを特徴とする請求項１に記載の印刷制御装置。
【発明の詳細な説明】
【技術分野】
【０００１】
本発明は印刷制御装置に関し、保護されたＰＤＦなどのファイルを印刷するためのＨｏｔＦｏｌｄｅｒシステムに関するものである。
【背景技術】
【０００２】
ＰＣなどの情報処理装置からプリンタなどへ印刷ジョブを送信する手段の一つとして、ＨｏｔＦｏｌｄｅｒシステムがある。ＨｏｔＦｏｌｄｅｒシステムは特定のフォルダを監視し、特定のフォルダにファイルが投入されると、関連付けられた印刷設定（ジョブチケット）を投入されたファイルに付与してプリンタへ送信する。ＨｏｔＦｏｌｄｅｒは特定のフォルダを介するため、他のシステムと疎の連携が可能であり、システム全体の自動化するうえで有効なシステムとなっている。
【０００３】
セキュリティの観点からファイルに対してパスワードが付与されたり、Ｐｏｌｉｃｙが付けられたりと、ファイルに対して保護が行われるようになって来ている。ＨｏｔＦｏｌｄｅｒに前述のような保護されたファイルが投入されると、パスワードの認証が必要であるため、システムの自動化などを妨げてしまうこととなる。また、ＨｏｔＦｏｌｄｅｒの送信先プリンタが保護されたファイルの投入を受けつけていないような場合、システムとして印刷を行うことができなくなってしまう。
【０００４】
特許文献１の様に印刷装置内に印刷ジョブをホールドし、パスワードの入力まで待機する手段もあるが、常にパスワードの入力を待機するため自動化の観点からは有効ではない。
【先行技術文献】
【特許文献】
【０００５】
【特許文献１】特開２００４−２２４０５８号公報
【発明の概要】
【発明が解決しようとする課題】
【０００６】
本発明の目的は、ＵｓｅｒＩＤやＰａｓｓｗｏｒｄの情報を保持することで、自動的に認証を行い、保護されたファイルの印刷をシステムとして自動的に処理することが可能な印刷制御装置を提供することにある。
【課題を解決するための手段】
【０００７】
特定のフォルダを監視し、ファイル投入時に設定を付与して画像形成装置へ印刷ジョブを送信する印刷制御装置において、
前記画像形成装置が保護されたファイルの受信を可能か判定する判定手段と、
保護されたファイルを投入したユーザの権限を認証する認証手段と、
前記認証手段の結果によって該ユーザの編集権限によって変換するファイル形式を選択する選択手段と、
前記印刷ジョブのファイル形式を変換する変換手段と、
を備えることを特徴とする印刷制御装置。
【発明の効果】
【０００８】
本発明の印刷制御装置は、ＵｓｅｒＩＤやＰａｓｓｗｏｒｄの情報を保持することで、自動的に認証を行い、保護されたファイルの印刷をシステムとして自動的に処理することが可能となる。
【図面の簡単な説明】
【０００９】
【図１】印刷処理システムの構成を示す図
【図２】コンピュータの構成を説明するブロック図
【図３】ＲＡＭ２０２のメモリマップの一例を示す図
【図４】ＦＤ２０４のメモリマップの一例を示す図
【図５】ＦＤドライブ２０３とＦＤ２０４の関係を示す図
【図６】ＨｏｔＦｏｌｄｅｒシステムの構成の一例を示した図
【図７】ＨｏｔＦｏｌｄｅｒシステムの基本処理のフローチャートを示した図
【図８】ＨｏｔＦｏｌｄｅｒシステムの認証時の詳細処理のフローチャートを示した図
【図９】ＨｏｔＦｏｌｄｅｒの新規作成時ダイアログの一例を示した図
【図１０】ＤＢに保存されているデータテーブルの一例を示した図
【図１１】禁則処理を行う場合のフローチャートを示した図
【図１２】禁則処理を行う場合に表示するメッセージの一例を示した図
【発明を実施するための形態】
【００１０】
以下、本発明を実施するための最良の形態について図面を用いて説明する。
【００１１】
［印刷処理システムの構成例］
図１は、実施形態に係る印刷処理システムの構成を示す図である。
【００１２】
同図において、１０１、１０２、１０３、１０４は、ネットワーク１０７に接続され、相互に通信可能なネットワークコンピュータであり、典型的にはパーソナルコンピュータ（ＰＣ）であり、それぞれイーサネット（登録商標）などのネットワークケーブルによってネットワーク１０７に接続され、アプリケーションプログラム等の各種のプログラムを実行可能であり、印刷データをプリンタに対応するプリンタ言語に変換する機能を有するプリンタドライバを搭載している。ここで、各コンピュータは複数のプリンタドライバをサポートするものとする。また、プリンタに対応するプリンタ言語に変換にした印刷データを１０５ネットワークプリンタに転送する機能を有する。
【００１３】
１０５は、印刷制御装置としてのネットワークプリンタであり、ネットワークインタフェースカード１０６を介してネットワーク１０７と接続されており、クライアントコンピュータから送信されてくる印字データを含む印刷ジョブを解析し、１ページずつドットイメージに変換して印刷する。なお、同図にネットワークプリンタ１０５は１台しか示されていないが、他のネットワークプリンタが複数接続されているものとする。各ネットワークプリンタの機能は相違するものであってもよい。
【００１４】
また、１０７はネットワークであり、コンピュータ１０１〜１０４、ネットワークプリンタ１０５等と接続している。
【００１５】
［ネットワークコンピュータのハードウェア構成例］
図２は、コンピュータ１０１〜１０４の構成を説明するブロック図である。  図２において、２００は装置全体の制御を行うＣＰＵであり、ハードディスク（ＨＤ）２０５に格納されているアプリケーションプログラム、プリンタドライバプログラム、ＯＳや、本実施形態のネットワークプリンタ制御プログラム等を実行し、ＲＡＭ２０２にプログラムの実行に必要な情報、ファイル等を一時的に格納する制御を行う。
【００１６】
２０１は記憶手段としてのＲＯＭであり、内部には、基本Ｉ／Ｏプログラム等のプログラム、文書処理の際に使用するフォントデータ、テンプレート用データ等の各種データを記憶する。２０２は一時記憶手段としてのＲＡＭであり、ＣＰＵ２００の主メモリ、ワークエリア等として機能する。
【００１７】
２０３は記憶媒体読み込み手段としてのフロッピディスクドライブであり、後述する図５に示すようにＦＤドライブ２０３を通じて、記憶媒体としてのＦＤ２０４に記憶されたプログラム等を本コンピュータにロードすることができる。２０４は記憶媒体であるフロッピディスク（ＦＤ）であり、コンピュータが読み取り可能にプログラムが格納された記憶媒体である。なお、記憶媒体はＦＤに限らず、ＣＤ−ＲＯＭ、ＣＤＲ、ＣＤＲＷ、ＰＣカード、ＤＶＤ、ＩＣメモリカード、ＭＯ、メモリスティック等、任意である。
【００１８】
２０５は外部記憶手段の一つであり、大容量メモリとして機能するハードディスク（ＨＤ）であり、アプリケーションプログラム、プリンタドライバプログラム、ＯＳ、ネットワークプリンタ制御プログラム、関連プログラム等を格納している。更に、スプール手段であるスプーラはここに確保される。スプール手段は、クライアントではクライアントスプーラのことであり、プリントサーバではサーバスプーラのことである。また、プリントサーバでは、クライアントから受けたジョブ情報を格納し、順序制御を行うためのテーブルもこの外部記憶手段に生成されて格納される。
【００１９】
２０６は指示入力手段であるキーボードであり、ユーザがクライアントコンピュータに対して、また、オペレータや管理者がプリントサーバに対して、デバイスの制御コマンドの命令等を入力指示するものである。２０７は表示手段であるディスプレイであり、キーボード２０６から入力したコマンドや、プリンタの状態等を表示したりするものである。
【００２０】
２０８はシステムバスであり、クライアントやプリントサーバであるコンピュータ内のデータの流れを司るものである。２０９は入出力手段であるインタフェースであり、該インタフェース２０９を介して情報処理装置は外部装置とのデータのやり取りを行う。
【００２１】
なお、上記コンピュータの構成はその一例であり、図２の構成例に限定されるものではない。例えば、データやプログラムの格納先は、その特徴に応じてＲＯＭ、ＲＡＭ、ＨＤなどで変更することも可能である。
【００２２】
図３は、図２に示したＲＡＭ２０２のメモリマップの一例を示す図であり、ＦＤ２０４からロードされる上記ネットワークプリンタ制御プログラムが、ＲＡＭ２０２にロードされ実行可能となった状態のメモリマップである。
【００２３】
なお、本実施形態では、ネットワークプリンタ制御プログラムおよび関連データをＦＤ２０４から直接ＲＡＭ２０２にロードして実行させる例を示すが、これ以外にも、ネットワークプリンタ制御プログラムを動作させる度に、既にネットワークプリンタ制御プログラムがＦＤ２０４からインストールされているＨＤ２０５から、ＲＡＭ２０２にロードするようにしてもよい。また、本ネットワークプリンタ制御プログラムを記憶する媒体は、ＦＤ以外にＣＤ−ＲＯＭ、ＣＤＲ、ＰＣカード、ＤＶＤ、ＩＣメモリカードであってもよい。さらに、本ネットワークプリンタ制御プログラムをＲＯＭ２０１に記憶しておき、これをメモリマップの一部となすように構成し、直接ＣＰＵ２００で実行することも可能である。また、以上の各装置と同等の機能を実現するソフトウェアをもって、ハードウェア装置の代替として構成することもできる。
【００２４】
また、以下では、本ネットワークプリンタ制御プログラムのことを、簡単に印刷制御プログラムまたはプリンタドライバと呼ぶこともある。印刷制御プログラムは、クライアントにおいては、印刷ジョブの印刷先の変更を指示したり、印刷順序を変更する指示をするための制御を行うプログラムを含む。一方、プリントサーバにおいては、印刷ジョブの順序制御を行ったり、印刷ジョブの印刷終了や印刷先変更要求などを通知するためのプログラムを含んでいる。また、このような制御を行う本実施形態の印刷制御プログラムは、クライアントにインストールされるモジュールと、プリントサーバにインストールされるモジュールを別々に分けてもよいし、ひとつの印刷制御プログラムが、実行される環境によりクライアント用として機能したり、プリントサーバ用として機能するようにしてもよい。あるいは、一台のコンピュータに、クライアント用の機能を持つモジュールとプリントサーバ用として機能するモジュールとをともにインストールし、同時にあるいは時分割で、擬似的に平行動作させる構成も可能である。
【００２５】
３０１は基本Ｉ／Ｏプログラムであり、コンピュータの電源がＯＮされたときに、ＨＤ２０５からＯＳがＲＡＭ２０２に読み込まれ、ＯＳの動作を開始させるＩＰＬ（イニシャルプログラムローデイング）機能などを有しているプログラムが入っている領域である。３０２はオペレーティングシステム（ＯＳ）であり、３０３はネットワークプリンタ制御プログラムで、ＲＡＭ２０２上に確保される領域に記憶される。３０４は関連データで、ＲＡＭ２０２上に確保される領域に記憶される。３０５はワークエリアで、ＣＰＵ２００が本プリンタ制御プログラムを実行する領域が確保されている。
【００２６】
図４は、図２に示したＦＤ２０４のメモリマップの一例を示す図である。
【００２７】
図４において、４０１はデータの情報を示すボリューム情報であり、４０２はディレクトリ情報、４０３は本実施形態で説明する印刷制御プログラムであるネットワークプリンタ制御プログラム、４０４はその関連データである。ネットワークプリンタ制御プログラム４０３は、本実施形態で説明するフローチャートに基づいてプログラム化したものであり、本実施形態では、クライアント及びサーバ共に、同様の構成をとっている。
【００２８】
図５は、図２に示したＦＤドライブ２０３に対して挿入されるＦＤ２０４との関係を示す図であり、図２と同一のものには同一の符号を付してある。図５において、ＦＤ２０４には、本実施形態で説明するネットワークプリンタ制御プログラムおよび関連データが格納されている。
【００２９】
［ＨｏｔＦｏｌｄｅｒのシステム構成］
図６は、ＨｏｔＦｏｌｄｅｒシステムの構成図の一例を示した図である。ＨｏｔＦｏｌｄｅｒシステム（６００）は全体を統制するマネージャ部（６０１）と、ＨｏｔＦｏｌｄｅｒとして関連つけられた実フォルダ（６０３）にファイルが投入されるのを検知するフォルダ監視部（６０２）と、ＨｏｔＦｏｌｄｅｒに投入されたファイルに印刷設定を付加してプリンタへ送信するジョブ送信部（６０４）とから構成される。さらに、投入されたファイルが保護されたファイルであった場合に、パスワード等の認証を行う認証部（６０５）と、認証したパスワードを管理するパスワード管理部（６０６）と、保持しておくパスワードデータベース部（６０７）から構成される。
【００３０】
［本システムを表す基本フロー］
図７は、本ＨｏｔＦｏｌｄｅｒシステムの処理の基本フローの一例を示した図である。
【００３１】
ＨｏｔＦｏｌｄｅｒとして設定された実フォルダ（６０３）にＰＤＦファイルが投入されると、Ｓ７０１にてフォルダ監視部（６０２）がファイル投入を検知し、マネージャ部（６０１）が保護されたＰＤＦ（ＰｏｌｉｃｙＰＤＦ）か否かを判定する。保護されたＰＤＦであった場合は、Ｓ７０２へ進み、そうでない場合はＳ７０３へ進む。
【００３２】
Ｓ７０２では、マネージャ部（６０１）が送信先プリンタにアクセスし、送信先プリンタが保護されたＰＤＦ（ＰｏｌｉｃｙＰＤＦ）の受付可能か否かを判定する。保護されたＰＤＦが受付可能であれば、Ｓ７０３へ進み、送信先プリンタにてユーザがライセンス認証を行う。保護されたＰＤＦが受け付け可能でなければ、Ｓ７０４へ進み認証部（６０５）がライセンス認証を行い、Ｓ７０５へ進む。
【００３３】
Ｓ７０５では、ライセンス認証の結果判定を行い、該ユーザの認証ができなかった、もしくは、該ユーザに印刷権限がないという場合には、Ｓ７０７へ進むエラー処理を行って終了する。ライセンス認証の結果、該ユーザに印刷権限があればＳ７０６へ進む。
【００３４】
Ｓ７０６では該ユーザに編集権限があるかを判定する。該ユーザに編集権限がある場合は、Ｓ７０８へ進みＰｏｌｉｃｙ付きＰＤＦに対して面付け編集を行い、Ｐｏｌｉｃｙ無しのＰＤＦの作成を行う。そして、その該ＰＤＦをもってＳ７１０にて送信処理を行い、本フローチャートを終了する。該ユーザに編集権限が無い場合は、Ｐｏｌｉｃｙ付きＰＤＦに対してレンダリング処理を行い、ＰｏｌｉｃｙＰＤＦを一旦画像データへ変換し、Ｓ７１０にて送信処理を行い、本フローチャートを終了する。
【００３５】
図８は、図７のライセンス認証（Ｓ７０４）時における、Ｈｏｔ  Ｆｏｄｅｒシステムの認証処理の詳細のフローチャートを示した図である。
【００３６】
Ｓ８０１では、フォルダ監視部（６０２）が保護されたＰＤＦが投入された時に、ファイルのプロパティ情報等から、ファイルの所有者を取得して、Ｓ８０２へ進む。
【００３７】
Ｓ８０２では、認証部（６０５）投入されたＰＤＦファイルがＰｏｌｉｃｙで保護されたＰＤＦか、パスワードで保護されたＰＤＦかを判定する。Ｐｏｌｉｃｙで保護されたＰＤＦである場合はＳ８０３進み、パスワードで保護されたＰＤＦの場合はＳ８０７へ進む。
【００３８】
Ｓ８０３では、パスワード管理部（６０６）がパスワードＤＢ（６０７）から、Ｓ８０１で取得した所有者とＰｏｌｉｃｙに関連したＵｓｅｒＩＤとパスワード情報を読み出してＳ８０４へ進む。
【００３９】
Ｓ８０４では、Ｓ８０３にて読みだした情報をもとに、認証部（６０５）がライセンス認証を行う。ライセンスが認証できた場合はＳ８１１へ進み送信処理を行い、ライセンスが認証できなかった場合はＳ８０５へ進み、ユーザにＵｓｅｒＩＤとパスワードの入力を促すメッセージを表示する。
【００４０】
Ｓ８０６では、Ｓ８０５で入力されたＵｓｅｒＩＤとパスワードをもって、認証部（６０５）がライセンス認証を行う。認証できなかった場合は再度Ｓ８０５へ戻り、ユーザにＵｓｅｒＩＤとパスワードの再入力を促し、認証できた場合はＳ８０７にてパスワード管理部（６０６）がパスワードＤＢ（６０７）にて該ＵｓｅｒＩＤとパスワードを保持し、Ｓ８１３の送信処理へと進む。
【００４１】
Ｓ８０８では、パスワード管理部（６０６）がパスワードＤＢ（６０７）から、Ｓ８０１で取得した所有者とパスワードに関連したＵｓｅｒＩＤとパスワード情報を読み出してＳ８０９へ進む。
【００４２】
Ｓ８０９では、Ｓ８０８にて読みだした情報をもとに、認証部（６０５）がライセンス認証を行う。ライセンスが認証できた場合はＳ８１１へ進送信処理を行い、ライセンスが認証できなかった場合は、Ｓ８１０へ進み、ユーザにパスワードの入力を促すメッセージを表示する。
【００４３】
Ｓ８１１では、Ｓ８１０で入力されたＵｓｅｒＩＤとパスワードをもって、認証部（６０５）がライセンス認証を行う。認証できなかった場合は再度Ｓ８１０へ戻り、ユーザにパスワードの再入力を促し、認証できた場合はＳ８１２にてパスワード管理部（６０６）がパスワードＤＢ（６０７）にて該ＵｓｅｒＩＤとパスワードを保持し、Ｓ８１３の送信処理へと進む。
【００４４】
Ｓ８１３では、ＨｏｔＦｏｌｄｅｒへ投入されたファイルの送信処理を行い、終了する。
【００４５】
図９は、ＨｏｔＦｏｌｄｅｒの新規作成時ダイアログの一例を示した図である。ＨｏｔＦｏｌｄｅｒの新規作成時にはダイアログ９００を表示して、ＨｏｔＦｏｌｄｅｒの設定をユーザに促す。ダイアログ９００には、ＨｏｔＦｏｌｄｅｒとしてのパス指定を行う項目（９０１）や、出力先プリンタを指定する項目（９０２）、投入ファイルに付与する印刷設定のファイルを指定する項目（９０３）、ＨｏｔＦｏｌｄｅｒとしての基本設定を設定する項目（９０４）などが用意される。また、本図では保護されたＰＤＦに対するＵｓｅｒＩＤやパスワードを管理するダイアログ（９０６）を呼び出すボタン（９０５）も示す。
【００４６】
図１０は、パスワードＤＢ（６０７）に保持される情報の遷移の一例を示した図である。本図はテーブル状で表示しているが、実際の内部データはＸＭＬ等の別形式で保持している。
【００４７】
図１０ａはある一時に登録されているデータを示した図であり、４ユーザ分のＵｓｅｒＩＤとＰａｓｓｗｏｒｄが登録されている。この状態時に［Ｓ０００５９］のアカウントでＰＣに対してログインしたユーザが、ＨｏｔＦｏｌｄｅｅｒにＰｏｌｉｃｙ付きＰＤＦファイルを投入し、［Ｔａｎａｋａ］のＵｓｅｒＩＤで認証を行うと、図１０ｂのように所有者（ログインユーザ）の情報を追記したテーブルに遷移する。その後、［Ａ０００３４］のアカウントでログインしたユーザ、ＨｏｔＦｏｌｄｅｒにパスワード付きＰＤＦを投入して認証を行うと、図１０ｃの様にＮｏ５のリストが追加されたテーブルとなる。このようにして数回のＨｏｔＦｏｌｄｅｒの使用状況に応じて、追記されたテーブルが図１０ｄである。本図は、例えば一つのログインユーザ［Ａ０００３４］に対して、複数のパスワードが関連付けられていることを示す。
【００４８】
図１１は、Ｓ７０９においてＨｏｔＦｏｌｄｅｒに投入したファイルのデータ変換を行う場合に、プリンタ内へジョブを保存することを禁則とする場合の処理のフローチャートを示した図である。
【００４９】
本フローチャートはＳ１１０１にてＳ７０９のようにマネージャ部（６０１）がデータの変換を行い、Ｓ１１０２へ進む。Ｓ１１０２では、マネージャ部（６０１）がＨｏｔＦｏｌｄｅｒの出力設定がプリンタ内にジョブを保存する設定であるか否かを判定し、プリンタ内にジョブを保存する設定でなければＳ１１０５へ進み、ジョブ送信部（６０４）が送信先プリンタへの送信処理を行う。プリンタ内にジョブを保存する設定であればＳ１１０３へ進み、マネージャ部（６０１）が禁則条件としてメッセージを表示する。メッセージ表示後、Ｓ１１０４にてマネージャ部（６０１）は禁則が解消されているかを判定し、禁則が解消されなければＳ１１０３へ戻り再度メッセージを表示する。禁則が解消されていれば、Ｓ１１０５へ進み送信処理を行い、終了する。
【００５０】
図１２にＳ１１０３で表示するメッセージの一例を示した図である。ＨｏｔＦｏｌｄｅｒに投入されたＰＤＦのデータ変換を行うことと、プリンタ内にジョブを保存することを禁則条件とし、その禁則条件に合致した場合にマネージャ部（６０１）は１２００のダイアログを表示して、ユーザに通知する。１２００は、投入されたファイル等のＨｏｔＦｏｌｄｅｒに関連付けられた情報（１２０１）と禁則を示すメッセージ（１２０２）とユーザが設定する付加情報（１２０３）を示す。
【００５１】
以上の提案により、印刷制御装置にてＵｓｅｒＩＤやＰａｓｓｗｏｒｄの情報を保持することで、自動的に認証を行い、保護されたファイルの印刷をシステムとして自動的に処理することが可能となる。また、保護されたファイルに対応していないプリンタに対して、印刷ジョブを送信することが可能となり、保護されたファイルに対応していないプリンタをシステムのワークフローに含めることが可能となる。さらに、ファイルの変換を行う場合に、プリンタ保存の機能を禁則条件とすることで、保護されたファイルを自由にさせることがなくなるため、セキュリティを保持することが可能となる。
【符号の説明】
【００５２】
１０１、１０２、１０３、１０４  ネットワークコンピュータ
１０７  ネットワーク
【図１】
2013210859.tif 000003
【図２】
2013210859.tif 000004
【図３】
2013210859.tif 000005
【図４】
2013210859.tif 000006
【図５】
2013210859.tif 000007
【図６】
2013210859.tif 000008
【図７】
2013210859.tif 000009
【図８】
2013210859.tif 000010
【図９】
2013210859.tif 000011
【図１０】
2013210859.tif 000012
【図１１】
2013210859.tif 000013
【図１２】
2013210859.tif 000014